(57)【要約】      （修正有）【課題】特に雪国に於ける屋根の雪処理と、家の玄関先の雪の吹付からの確保と、玄関先から公道までの除雪の精神的、労力的、経済的な負担を軽減する通路アーチ型屋根構造体を提供する。【解決手段】樹脂製パイプと樹脂製板材を組み合わせ、雪割り１１を天井につけた雪除け通路アーチ型屋根構造体を家の玄関先から公道まで自宅の敷地内に組み立て、構造物の下部地面を掘り水槽を作り予め雨水を貯水して置き、パイプ１０を配管してポンプの力で散水し構造体の両側に落ちた雪をみぞれ状にしスノコ状の側溝１から水槽内に流し入れ循環して散水に使用し、構造体の途中側壁には出入りできる扉を設け，公道に面した入口には開閉扉１４を設ける。【選択図】図９
2015224536.tif 000002
【特許請求の範囲】
【請求項１】
当該発明は冬の雪国の玄関先への雪の吹付防止に効果があるのとともに、広い敷地の自宅玄関先から公道までの距離が長くある場合、そこの除雪は精神的、労力的、経済的に各家庭の多大な負担でありその負担を軽減することに効果があり、毎日の除雪をせずに済む現代版雁木、家庭向け雪除け用通路アーチ型屋根構造体。
【請求項２】
上記当該発明は軽量、簡易構造、防錆性を有し組み立て式で冬の雪の季節以外は取り外しもでき、屋根は雪割り板を有したアーチ型構造の為自然落雪し当構造体の両側に落積した雪は当構造体両側壁に配管したパイプからの散水により消雪出来るよう水槽を併設し、その水を利用することで除雪の必要のない雪除け用通路アーチ型屋根構造体。
【請求項３】
上記水槽は当該構造体の下部両側の位置の土を掘削し製作し、井戸水や地下水ではなく雨水を貯水利用できるようにしたもので、当構造体の両側に落ち堆積した雪はポンプでくみ上げ配管したパイプからの散水でみぞれ状の雪となり当構造体の両側水槽上部のスノコ状側溝から水槽内に流れ込み循環して散水使用できるように水槽を備えた除雪不要の雪除け用通路アーチ型屋根構造体。
【請求項４】
当該構造体はアーチ型屋根を有し雪が吹き込まないよう密閉構造をしているが、一部側壁部両側に出入り出来るよう開閉扉を設け、同様公道面先端部入口にも開閉扉を設けた雪除け用通路アーチ型屋根構造体。
【発明の詳細な説明】
【技術分野】
【０００１】    冬季雪国の各家庭に於ける雪処理を大別すると（１）家の屋根からの雪下し、（２）窓囲い等をした家の周りに堆積した雪の除雪、（３）家の玄関口への雪の吹付からの確保、（４）家の玄関先から公道までの通路の除雪、（５）家の敷地内に堆積し処分しきれなくなった雪の自治体ないし業者への委託処理等、このうち当発明は家の玄関口への雪の吹付からの確保と、特に広い敷地を有する家の玄関先から公道までの通路の確保のため毎日やらねばならない除雪に際しての労力的、経済的、精神的負担をいかに軽減するかに関するものである。
【背景技術】
【０００２】    雪国には古くから公共的な雁木という雪除け通路構造物がある。地域の高齢化の進行及び少人数、極端には単身老齢家庭等厳しい冬の雪国において雪に対する各家庭及び各自治体の精神的、労力的、経済的負担の軽減は必緊の重要問題である。公道の積雪は自治体が除雪を執り行うが、各家庭敷地内の雪の処理に対しては当然各家庭の責任である為夫々むずかしい状況の中一考を案じる必要が有る。
【先行技術文献】
【技術文献】
【０００３】
【特許文献１】  特開２０１３−１８５３７８
【特許文献２】  特開２０１３−１１１１１３
【特許文献３】  特開２００８−２３１６８０
【特許文献４】  特開２００６−２０７２４９
【特許文献５】  特開平９−３０２７７８
【特許文献６】  特開平９−１７７３３９
【発明の概要】
【発明が解決しようとする課題】
【０００４】    毎年冬になれば雪国には雪が降り年々地域に住む人々は年を重ね若い人が少なくなり特に広い敷地を有する家屋敷では融雪式、落雪式、耐雪式の屋根に構造改革することで労力的には負担の軽減は出来るが、設備費が莫大であり維持費も必要であり、敷地が広い分家の玄関先から公道までの毎日の除雪は生活上必要でありしかも大変な労力を要しまたその除雪した雪山の処理にも多くの経費の負担がかかるため、当発明はこの除雪と雪の後処理に関しての労力と経費の軽減並びに精神的負担の解消に対し少しでも貢献しようとするものである。
【課題を解決するための手段】
【０００５】    家の玄関先の雪の吹付防止をも同時に解決する目的で、当該発明に於いては組み立て式の雪除け通路アーチ型屋根構造体を家の玄関口から公道まで組み立て設置し、雪割り板をつけたアーチ型屋根から構造体両側に落ちた雪は当該構造体の両側側壁に配管したパイプからの散水により消雪出来るようにする。【０００６】    当該構造体の両側下部地面の土を掘り貯水用水槽を設け地下水を使用せず雨水を貯水して置きこの水をポンプにより汲み上げ配管したパイプから散水してみぞれ状の雪にして当該構造体両側のスノコ状側溝から水槽内に流れ落とし循環して再びポンプにより散水出来るようにし、又当該水槽の水は雪囲いをした家の周りに配管をしたパイプによる散水にも使用できる。
【発明の効果】
【０００７】    地域特に雪国の家庭に於ける家族の高齢化と小人数化に於いて、冬季に於ける雪に対して３０００万超の投資をしてまで家の屋根の雪の融雪構造化又は雪の落雪構造化あるいは雪の耐雪構造化がみられるが、このことは敢えて考えれば雪国で生きるためであり、その様な投資をしなければならない深刻さ故であり，さらに家屋敷が大きいほど雪処理はある意味大変であると思われるのは毎日の家の玄関先から公道までの除雪であり、当発明の組み立て式雪除け通路アーチ型屋根構造体の設置することでこの毎日の除雪と一部雪山の後処理からの解放は、精神的に多いに安心感が得られる効果がある。
【図面の簡単な説明】
【０００８】
【図１】  雨水貯水用水槽平面概略図
【図２】  雨水貯水用水槽断面側面略図
【図３】  雨水貯水用水槽Ａ−Ａ断面図
【図４】  雪除け通路アーチ型屋根構造体骨組み断面図
【図５】  雪除け通路アーチ型屋根構造体側壁部略図及びパイプ配管略図
【図６】  アーチ型屋根部樹脂製板略図
【図７】  アーチ型屋根樹脂製板断面略図
【図８】  アーチ型屋根雪除け通路構造体の骨組み基本略図
【図９】  アーチ型屋根構造体組み立て参考図
【発明を実施する為の形態】
【０００９】    雨水を貯水する水槽１３は雪除け通路アーチ型屋根構造体の両側地面下の土を掘り下げ作り水槽部側面は断熱性樹脂材１２で覆い、側溝部１はスノコ状格子にし、通路部２は水が凍結しない様下に断熱性樹脂材１２を接着した鉄製板で覆い、この鉄板には当該構造体のパイプ製の脚部が入る筒４が組み込まれている。
【００１０】    当該雪除け通路アーチ型屋根構造体の基本材料は樹脂製板材とパイプ５でユニット（図８）化左右一対としそのアーチ型天井部７及び両側壁部６にはそれぞれ樹脂製板材で製作したパネル（図５），（図６）を組み込み夫々各部は結合治具部材を用い組み立てアーチ屋根部には雪割り板１１が取り付ける。
【００１１】    当該雪除け通路アーチ型屋根構造体の両側側面にはパイプ１０を配管し前記雨水を貯めた水槽１３の水をポンプで散水し当構造体の両側の雪を消雪しそのみぞれ状の雪は側溝部のスノコ状格子１から水槽に流れ込み循環してポンプで散水する。
【産業上の利用の可能性】
【００１２】    当該構造体は自動車に駐車場屋根が普及しているように、また雪国の生活上公共の雁木が定着してきたようにその構造上の安全性と効果が証明及び認識されれば、各家庭並びに産業上の利用の可能性はあるであろう。
【符号の説明】
【００１３】１            スノコ状側溝
２            水槽を覆う鉄板
３            地面土部
４            雪除け通路アーチ型屋根構造体パイプ脚部受け用筒部
５            アーチ型構造体骨組みパイプ
６            構造体側壁部用樹脂製パネル
７            アーチ屋根部用樹脂製パネル
８            アーチ屋根部補強用パイプ
９            アーチ屋根用パネル組み込み用治具
１０          散水用配管パイプ
１１          アーチ屋根天井部雪割り板
１２          水槽内貯水凍結防止用樹脂製断熱材
１３          水槽
１４          開閉扉
【図１】
2015224536.tif 000003
【図２】
2015224536.tif 000004
【図３】
2015224536.tif 000005
【図４】
2015224536.tif 000006
【図５】
2015224536.tif 000007
【図６】
2015224536.tif 000008
【図７】
2015224536.tif 000009
【図８】
2015224536.tif 000010
【図９】
2015224536.tif 000011